(57)【要約】【課題】通気効率の低下を抑えることのできる電子機器のスタンドを提供する。【解決手段】スタンド１は、電子機器９０の外面に対向する取付面２０ｈと、取付面２０ｈに形成され、電子機器９０の通気部に対向する第１通気口Ｅ１と、取付面２０ｈとは異なる位置に形成されている第２通気口Ｅ２と、スタンド１の内部に形成され、第１通気口Ｅ１と第２通気口Ｅ２とを繋ぐ空気流路と、電子機器の通気部９１に取り付けられ、前記電子機器にスタンドを固定するための取付部２３と、を備える。【選択図】図３
2014239165.tif 000002
【特許請求の範囲】
【請求項１】
電子機器の外面に脱着可能であり、電子機器を支持するためのスタンドにおいて、
前記電子機器の通気部が設けられている外面に対向する取付面と、
前記取付面に形成され、電子機器の通気部に対向する第１通気口と、
前記取付面とは異なる位置に形成されている第２通気口と、
前記スタンドの内部に形成され、前記第１通気口と前記第２通気口とを繋ぐ空気流路と、
前記電子機器の通気部に取り付けられ、前記電子機器に前記スタンドを固定するための取付部と、を備える
ことを特徴とするスタンド。
【請求項２】
請求項１に記載のスタンドにおいて、
前記電子機器の通気部は、通気孔が形成された内面を有し且つ一方向に延伸する溝であり、
前記取付部は前記電子機器の通気部である溝に嵌まるように形成されている、
ことを特徴とするスタンド。
【請求項３】
請求項２に記載のスタンドにおいて、
前記電子機器の通気部である溝はその内面に前記溝の幅方向において対向する２面を有し、前記２面の少なくとも一方に通気孔が形成されており、
前記取付部は前記電子機器の通気孔に引っ掛かるように形成されている、
ことを特徴とするスタンド。
【請求項４】
請求項２に記載のスタンドにおいて、
前記第１通気口は前記電子機器の通気部に沿って延伸するように形成されている、
ことを特徴とするスタンド。
【請求項５】
請求項１に記載のスタンドにおいて、
前記スタンドの平面視において前記取付面の外周を取り囲み、且つ前記取付面の縁から下がる外周面をさらに有し、
前記第２通気口は前記外周面の下縁の下側に設けられている、
ことを特徴とするスタンド。
【請求項６】
請求項１に記載のスタンドにおいて、
前記取付面とは反対側の面である下面を構成するベースと、
前記取付面を含む、前記ベースを覆うカバーと、を備え、
前記空気流路は前記カバーと前記ベースとの間に形成されている、
ことを特徴とするスタンド。
【発明の詳細な説明】
【技術分野】
【０００１】
本発明は電子機器のスタンドに関し、特にスタンドを電子機器に取り付けた時の通気効率の低下を抑制するための技術に関する。
【背景技術】
【０００２】
下記特許文献１には、複数の吸気孔からなる吸気部が筐体の側面に設けられた電子機器が開示されている。この電子機器は冷却ファンの駆動により吸気孔を通して外部の空気を吸い込み、吸い込んだ空気によって回路基板に実装された集積回路を冷却する。
【先行技術文献】
【特許文献】
【０００３】
【特許文献１】米国特許第７７５５８９６号明細書
【発明の概要】
【発明が解決しようとする課題】
【０００４】
電子機器のなかには、スタンドを側面に取り付け、側面が下側に位置するように縦置きされるものがある。ところが、特許文献１に開示される電子機器のように、側面に吸気部が設けられていると、スタンドを取り付けることにより通気効率が低下する。
【０００５】
本発明の目的の１つは、通気効率の低下を抑えることのできる電子機器のスタンドを提供することにある。
【課題を解決するための手段】
【０００６】
本発明に係るスタンドは、電子機器の外面に脱着可能であり、電子機器を支持するためのスタンドである。前記スタンドは、前記電子機器の通気部が設けられている外面に対向する取付面と、前記取付面に形成され、電子機器の通気部に対向する第１通気口と、前記取付面とは異なる位置に形成されている第２通気口と、前記スタンドの内部に形成され、前記第１通気口と前記第２通気口とを繋ぐ空気流路と、前記電子機器の通気部に取り付けられ、前記電子機器に前記スタンドを固定するための取付部と、を備える。本発明によれば、スタンドを電子機器に取り付けた時の通気効率の低下を抑えることができる。また、取付部は電子機器の通気部に取りつけられるので、例えば通気部が設けられた面の全体を取り囲む取付部をスタンドに設ける場合に比べて、スタンドの大型化を抑えることができる。
【図面の簡単な説明】
【０００７】
【図１】本発明の実施形態に係るスタンドと電子機器の斜視図である。
【図２】電子機器の斜視図である。図２では電子機器は横姿勢に配置されている。
【図３】スタンドの平面図である。
【図４】図３のＩＶ−ＩＶ線での断面図である。
【図５】図３のＶ−Ｖ線で示す切断面で得られる断面が示されている。スタンドに電子機器が取り付けられている状態でのそれらの断面図である。
【図６】スタンドの底面図である。
【発明を実施するための形態】
【０００８】
以下、本発明の一実施形態について図面を参照しながら説明する。図１は本発明の実施形態に係るスタンド１と電子機器９０の斜視図である。図１では、スタンド１と、縦置きされている電子機器９０とが分離されている状態が示されている。図２は電子機器９０の斜視図である。図２では電子機器９０は横置きされている。図３はスタンド１の平面図である。図４は図３のＩＶ−ＩＶ線での断面図である。図５はスタンド１に電子機器９０が取り付けられている状態でのそれらの断面図である。図５では、図３のＶ−Ｖ線で示す切断面で得られる断面が示されている。図６はスタンド１の底面図である。以下の説明では、これらの図１に示すＸ１及びＸ２をそれぞれ左方向及び右方向とし、Ｙ１及びＹ２をそれぞれ前方及び後方とし、Ｚ１及びＺ２をそれぞれ上方及び下方とする。
【０００９】
スタンド１は電子機器を立てた状態で支持するために利用される。電子機器は、例えばゲーム装置や、オーディオ・ビジュアル機器、パーソナルコンピュータ、表示装置などである。図２に示す電子機器９０はゲーム装置やオーディオ・ビジュアル機器として機能するエンタテインメント装置である。電子機器９０は、ゲームプログラムの実行により生成した動画像データや、ネットワーク又は光ディスクなどの記録媒体から取得した映像・音声データをテレビジョンなどの表示装置に出力する。電子機器９０の前面９０ｂには、光ディスクを挿入するための挿入口９２と、コントローラなどの装置を接続するためのコネクタ９３とが設けられている。また、前面９０ｂには、電源ボタン９４ｂと、光ディスクを取り出すための取り出しボタン９４ａとが設けられている。
【００１０】
電子機器９０は、その内部に、ＣＰＵなどの集積回路や電源回路などを冷却するための冷却ファンを備えている。電子機器９０の外面には、複数の通気孔が形成された通気部が設けられている。図２に示すように、ここで説明する例では、電子機器９０の外面には、通気部として、電子機器９０が空気を吸い込むための吸気部９１が設けられている。吸気部９１には複数の吸気孔ｈが形成されている。電子機器９０は、冷却ファンの駆動により、吸気部９１を通して外部の空気を吸い込む。電子機器９０は、その左右の側面９０ａに吸気部９１を有している。なお、電子機器９０には、吸気部９１及び吸気孔ｈに替えて、電子機器９０が空気を排出するための排気部及び排気孔が通気部及び通気孔として形成されてもよい。
【００１１】
図２に示すように、ここで説明する例の吸気部９１は、電子機器９０の側面９０ａにおいて前後方向に延びている溝である。溝は側面９０ａの上下方向における略中心に形成されている。溝の内面に、溝の延伸方向に並ぶ複数の吸気孔ｈが形成されている。溝の内面は３つの面を含んでいる。すなわち、溝の内面は、溝の２つの縁にそれぞれ接続され、溝の幅方向において互いに向き合う第１の面及び第２の面と、第１の面と第２の面とを繋ぐ第３の面とを含んでいる。第１の面と第２の面は、電子機器９０が図２の姿勢（後述する横姿勢）に配置されている状態で上下方向において向き合う。第３の面は、電子機器９０が横姿勢に配置されている状態で側方に向く面である。図２の例の吸気孔ｈは第１の面と第２の面とに形成されている。なお、吸気孔ｈは第３の面に形成されてもよいし、第１の面と第２の面のいずれか一方にのみ形成されてもよい。
【００１２】
ここで説明する例の電子機器９０は、図５に示すように、フレーム９５と、フレーム９５の上側を覆う上カバー９６と、フレーム９５の下側を覆う下カバー９７とを有している（この説明において、上下方向は電子機器９０を横姿勢に配置した状態での上下方向である）。フレーム９５は側壁部９５ａと、側壁部９５ａから側方に広がる２つの張り出し部９５ｂとを有している（この説明において、「側方」は電子機器９０を横姿勢に配置した状態での右方向及び左方向である）。この側壁部９５ａと張り出し部９５ｂとによって上述の溝が構成されている。張り出し部９５ｂに吸気孔ｈが形成されている。複数の吸気孔ｈは張り出し部９５ｂの延伸方向において並んでいる。吸気孔ｈのそれぞれは張り出し部９５ｂの張り出し量（すなわち溝の深さ）に対応した幅（ここでは張り出し部９１ｂの張り出し量よりも僅かだけ小さい幅）を有している。張り出し部９５ｂの延伸方向（吸気部９１の延伸方向）での吸気孔ｈの幅は、それに直交する方向での幅（張り出し部９５ｂの張り出し量）よりも小さい。隣接する２つの吸気孔ｈは、それらの間に形成された壁部９５ｃ（図１参照）によって仕切られている。
【００１３】
電子機器９０は、その使用時の姿勢として、その底面が下側に位置する姿勢（図２で示す姿勢、以下において横姿勢）と、側面９０ａが下側に位置する姿勢（図１で示す姿勢、以下において縦姿勢）とが可能である。スタンド１は、図１に示すように、電子機器９０の側面９０ａに取り付けられ、縦姿勢にある電子機器９０を支持する。スタンド１は、電子機器９０の側面９０ａに対応した形状を有している。ここで説明する例の電子機器９０の側面は略平行四辺形である。スタンド１は、その平面視において、略平行四辺形となっている。
【００１４】
スタンド１は、図１に示すように、電子機器９０の側面９０ａに対向する取付面（上面）２０ｈを有している。ここで説明する例では、側面９０ａと取付面２０ｈはともに平らであり、スタンド１を電子機器９０の側面９０ａに取り付けている状態では、取付面２０ｈは側面９０ａに接する。なお、側面９０ａと取付面２０ｈとの間にはクリアランスが設けられてもよい。取付面２０ｈには第１通気口Ｅ１が形成されている。第１通気口Ｅ１は、スタンド１が電子機器９０に取り付けられている状態で、吸気部９１に対向する。ここで説明する例の第１通気口Ｅ１は吸気部９１に沿って前後方向で延びている。ここで説明する例では、前後方向でのスタンド１の幅は左右方向での幅よりも大きい。これにより、第１通気口Ｅ１の長さが確保し易くなる。第１通気口Ｅ１の長さ（前後方向での幅）は吸気部９１の長さに対応している。また、第１通気口Ｅ１の幅（左右方向での幅）は吸気部９１の幅に対応している。すなわち、第１通気口Ｅ１のサイズは、電子機器９０の吸気部９１に対応している。第１通気口Ｅ１のサイズはこれに限られず、例えば第１通気口Ｅ１の幅（左右方向での幅）は吸気部９１の幅より大きくてもよい。また、第１通気口Ｅ１の長さ（前後方向での幅）は吸気部９１よりも小さくてもよい。
【００１５】
スタンド１は、取付面２０ｈとは異なる位置に第２通気口Ｅ２を有している。また、スタンド１は、その内部に第１通気口Ｅ１と第２通気口Ｅ２とを繋ぐ空気流路Ｓを有している（図４参照）。これにより、電子機器９０は、第２通気口Ｅ２及び第１通気口Ｅ１を通して空気を吸い込むことができる。その結果、電子機器９０の側面９０ａにスタンド１を取り付けることによる通気効率の低下を、抑えることができる。なお、電子機器９０に通気部及び通気孔として排気部及び排気孔が設けられている場合には、電子機器９０は、スタンド１の第１通気口Ｅ１及び第２通気口Ｅ２を通して空気を排出する。
【００１６】
スタンド１は、スタンド１の平面視において取付面２０ｈを取り囲み、且つ取付面２０ｈの縁から下がる外周面を有している。ここで「外周面」は、前面２０ｋ（図３参照）、左右の側面２０ｊ（図３参照）、及び後面を含む面である。図４に示すように、第２通気口Ｅ２は、外周面の下縁の下側に設けられている。換言すると、スタンド１はその外周面を構成する外周部２０ｂを有する部材（この説明では後述するカバー２０）を有し、第２通気口Ｅ２は外周部２０ｂの下面２０ｍの下側に設けられている。カバー２０はその外周部２０ｂがスタンド１の下面から上方に離れて位置するように支持されている。カバー２０は後述するベース３０によって支持されている。このように外周部２０ｂの下側に第２通気口Ｅ２を設けることにより、第２通気口Ｅ２が目立つことを抑えることができる。また、スタンド１を床などの設置面に置いたときに、第２通気口Ｅ２が設置面に平行な方向に開口する。その結果、良好な吸気効率を確保できる。なお、第２通気口Ｅ２の位置は、これに限られない。例えば、カバー２０の外周部２０ｂに当該外周部２０ｂを貫通する孔が形成され、この孔が第２通気口Ｅ２として機能してもよい。
【００１７】
第２通気口Ｅ２は、第１通気口Ｅ１に対して、その延伸方向に直交する方向に位置し、第１通気口Ｅ１と平行に設けられている。ここで説明する例の第１通気口Ｅ１は前後方向に延伸している。そのため、第２通気口Ｅ２は第１通気口Ｅ１に対して右方向及び／又は左方向に位置している。図４に示すように、ここで説明する例では、第２通気口Ｅ２は第１通気口Ｅ１に対して右方向と左方向とに設けられている。２つの第２通気口Ｅ２は第１通気口Ｅ１を挟んで互いに反対側に位置し、それぞれが第１通気口Ｅ１と平行に配置されている。２つの第２通気口Ｅ２はスタンド１の左側面２０ｊの下縁の下側と、右側面２０ｊの下縁の下側とにそれぞれ設けられている。スタンド１を床などの設置面に置いたときに、２つの第２通気口Ｅ２は右方向及び左方向にそれぞれ開口する。第２通気口Ｅ２は、前後方向において、第１通気口Ｅ１に対応した長さを有している。すなわち、第２通気口Ｅ２は第1通気口Ｅ１と概ね等しい長さを有している。
【００１８】
このようにスタンド１は２つの第２通気口Ｅ２を有するので、良好な吸気効率を得ることができる。なお、スタンド１は上述したように略平行四辺形である。２つの第２通気口Ｅ２のうち一方は、スタンド１の外形に合わせて、第１通気口Ｅ１に対して前方且つ左方向に位置し、他方は第1通気口Ｅ１に対して後方かつ右方向に位置している。
【００１９】
図４に示すように、スタンド１はその内部に２つの空気流路Ｓを有している。一方の空気流路Ｓは第１通気口Ｅ１から右方向に延び、右側の第２通気口Ｅ２に繋がっている。他方の空気流路Ｓは第１通気口Ｅ１から左方向に延び、左側の第２通気口Ｅ２に繋がっている。なお、第２通気口Ｅ２は、スタンド１の前面２０ｋの下縁の下側や、スタンド１の後面の下縁の下側に設けられてもよい。すなわち、第２通気口Ｅ２はスタンド１の全周に亘って設けられてもよい。
【００２０】
図４に示すように、スタンド１は、取付面２０ｈとは反対側の面である下面３１ｂを有している。スタンド１は、下面３１ｂを構成する部材として、ベースプレート３１を有している。第２通気口Ｅ２は、ベースプレート３１の左右の縁３１ａと側面２０ｊの下縁２０ｎとの間に形成されている。ベースプレート３１の左右の縁３１ａは左右の側面２０ｊの下縁２０ｎよりも内側に位置している。これにより、第２通気口Ｅ２が目立つことを、より効果的に抑えることができる。なお、スタンド１の側面２０ｊは、スタンド１の左右方向での幅が下方に向かって大きくなるように傾斜している。これにより、ベースプレート３１により大きな幅を確保することができる。
【００２１】
図４に示すように、スタンド１はベース３０を有している。ベース３０は、上述のベースプレート３１と、ベースプレート３１上に配置されるプレート３２ａとを有している。この例のベース３０は複数のプレート３２ａを含んでいる。複数のプレート３２ａは重ねて配置され、全体として略直方体のブロック３２を構成している。プレート３１，３２ａは例えば金属によって形成される。こうすることにより、プレート３１，３２ａはスタンド１の錘として機能し、電子機器９０の支持安定性を向上できる。なお、プレート３１，３２ａの材料は樹脂でもよい。
【００２２】
図４に示すように、スタンド１は、取付面２０ｈを含むカバー２０を有している。カバー２０に上述の第１通気口Ｅ１が形成されている。カバー２０はベース３０を覆うように配置され、ベース３０に取り付けられている。カバー２０はブロック３２の上側を覆う上面部２０ａと、ブロック３２の外周を取り囲む外周部２０ｂとを有している。カバー２０とブロック３２及びベースプレート３１との間には隙間が形成されており、その隙間が空気流路Ｓとなっている。カバー２０とベース３０とを利用することにより、空気流路Ｓをスタンド１の内部に比較的簡単に形成することができる。
【００２３】
ブロック３２は第１通気口Ｅ１の下方に位置している。カバー２０の外周部２０ｂはブロック３２の外周を取り囲んでいる。これにより、２つの空気流路Ｓのそれぞれは、水平方向（左右方向）に延びる２つの流路Ｓ１，Ｓ３と、上下方向に延び流路Ｓ１と流路Ｓ３を繋ぐ流路Ｓ２とを含む。流路Ｓ１は上面部２０ａとブロック３２の上面とによって規定され、第１通気口Ｅ１から右方向又は左方向に延びている。流路Ｓ２はブロック３２の側面と外周部２０ｂとによって規定され、上下方向において延びている。流路Ｓ３は外周部２０ｂの下面２０ｍとベースプレート３１とによって規定され、右方向又は左方向に延びている。ベースプレート３１の左右方向の幅はプレート３２ａよりも大きい。ベースプレート３１のプレート３２からはみ出た部分と外周部２０ｂの下面２０ｍとの間に流路Ｓ３が形成されている。
【００２４】
このように流路Ｓ１と流路Ｓ３との間に上下方向に延びる流路Ｓ２が設けられるので、塵等の侵入を低減できる。また、第１通気口Ｅ１は溝状に形成され、流路Ｓ１はその溝の側面に向かって開口している。そのため、流路Ｓ１が目立ちにくくなっている。
【００２５】
図４に示すように、ここで説明する例のカバー２０は外装部材２０Ａと、外装部材２０Ａの下側に取り付けられている下側部材２０Ｂとを有している。外装部材２０Ａと下側部材２０Ｂは、材料や色において互いに異なっている。下側部材２０Ｂにはプレート３２ａに向かって下がる複数のリブ２０ｃが形成されている。複数のリブ２０ｃは第１通気口Ｅ１の延伸方向（この例では前後方向）において並んでいる（図３参照）。リブ２０ｃはブロック３２の上面に当たっている。これにより、カバー２０とブロック３２との間隔、すなわち空気流路Ｓが規定されている。
【００２６】
外装部材２０Ａと下側部材２０Ｂとには、第１通気口Ｅ１を規定するための孔２０ｄ，２０ｅがそれぞれ形成されている。孔２０ｄ，２０ｅは同じサイズ（長さ及び幅）を有している。リブ２０ｃは下側部材２０Ｂに形成された孔２０ｅの縁から左右方向において延びている。このリブ２０ｃにより空気流の方向が規定される。スタンド１は電子機器９０の側面９０ａの形状に合わせて略平行四辺形である。リブ２０ｃは、スタンド１の前縁及び後縁に合わせて、左右方向に対して斜めに延びている（図３参照）。
【００２７】
図４に示すように、下側部材２０Ｂは、孔２０ｅの底に位置し前後方向に延びている底部２０ｇを有している。底部２０ｇによって、第１通気口Ｅ１を通してブロック３２が露出することを抑えることができる。
【００２８】
カバー２０の外周部２０ｂの下面２０ｍには、図５に示すように、ベースプレート３１の縁に向かって下がる複数のリブ２０ｆが形成されている。第２通気口Ｅ２の近くでの、カバー２０とベースプレート３１との間隔は、リブ２０ｆによって規定される。
【００２９】
図１に示すように、スタンド１の取付面２０ｈには、スタンド１を電子機器９０の側面に固定するための取付部２３が設けられている。取付部２３は取付面２０ｈから上方に突出している。取付部２３は電子機器９０の吸気部９１に取り付けらる。ここで説明する例の吸気部９１は溝であり、取付部２３は吸気部９１に嵌まる。取付部２３は第１通気口Ｅ１に設けられている。こうすることにより、スタンド１と電子機器９０とを組み合わせたときに取付構造（具体的には取付部２３）が露出しない。その結果、スタンド１の大型化を抑えることができ、またスタンド１と電子機器９０の外観を向上できる。
【００３０】
取付部２３は、前後方向（第１通気口Ｅ１及び吸気部９１の延伸方向）において、吸気部９１及び第１通気口Ｅ１の長さよりも小さな幅を有している。つまり、取付部２３は第１通気口Ｅ１の延伸方向における一部に設けられている。これによれば、取付部２３を第１通気口Ｅ１に設けることに起因する吸気効率の低下を、抑えることができる。スタンド１は複数（図１においては２つ）の取付部２３を有している。これらは第１通気口Ｅ１の延伸方向において間隔を空けて配置されている。これにより、スタンド１の電子機器９０への取付安定性を向上できる。
【００３１】
取付部２３は、左右方向（第１通気口Ｅ１及び吸気部９１の幅方向）においては、吸気部９１及び第１通気口Ｅ１に対応した幅を有している。より具体的には、左右方向での取付部２３の幅は、吸気部９１及び第１通気口Ｅ１の幅よりも僅かだけ大きい。取付部２３は吸気部９１である溝の内面に引っ掛かるように形成されている。詳細には、取付部２３の左右の側面に凸部２３ｃ（図１参照）が形成されている。図５に示すように、凸部２３ｃは吸気部９１に形成された吸気孔ｈに引っ掛かる。すなわち、凸部２３ｃは電子機器９０の吸気部９１に形成された吸気孔ｈに嵌まる。上述したように、隣接する２つの吸気孔ｈは壁部９５ｃによって仕切られている。吸気部９１の延伸方向での取付部２３の幅は、吸気部９１の延伸方向における２つの壁部９５ｃの全体の幅に対応している。そのため、凸部２３ｃが吸気孔ｈに引っ掛かっている状態では、取付部２３は、その引っ掛かっている吸気孔ｈに隣接する別の吸気孔ｈを塞がない。凸部２３ｃは吸気孔ｈに対応した形状を有している。また、吸気孔ｈは左右方向に対して斜めに形成されており（図２参照）、凸部２３ｃは吸気孔ｈに合わせて傾斜している。取付部２３（詳細には凸部２３ｃ）が吸気孔ｈに係合することにより、スタンド１は電子機器９０に安定的に取り付けられる。また、取付部２３と吸気孔ｈとの係合を解消することにより、スタンド１は電子機器９０から取り外すことができる。
【００３２】
図５に示すように、取付部２３はその外面を構成するキャップ２３ａを有している。凸部２３ｃはキャップ２３ａに形成されている。キャップ２３ａは、例えばゴムやプラスチックなど、弾性を有する樹脂によって形成される。キャップ２３ａが凹むことにより、取付部２３を吸気部９１に嵌め入れたり、吸気部９１から外すことができる。
【００３３】
取付部２３は、キャップ２３ａの内側に配置されるロック部材２３ｂを有している（図５参照）。ロック部材２３ｂは例えば金属によって形成される。図３に示すように、ロック部材２３ｂは、取付面２０ｈに対して垂直な中心線周りで回転可能となっている。ロック部材２３ｂは、ロック位置Ｐ１と解除位置Ｐ２との間を回転する。ロック位置はキャップ２３ａの側面（凸部２３ｃが形成された面）の凹みを規制する位置である。解除位置はキャップ２３ａの側面の凹みを許容する位置である。
【００３４】
図３に示すように、互いに直交する２方向のうち一方の方向でのロック部材２３ｂの太さＴ１は、他方の方向でのロック部材２３ｂの太さＴ２に比べて大きい。ロック部材２３ｂが解除位置Ｐ２にあるとき、すなわち、太さＴ２の方向が左右方向に揃っているとき、キャップ２３ａの側面の内側とロック部材２３ｂとの間にスペースｒが形成される（図５参照）。その結果、キャップ２３ａの側面の凹みが許容され、取付部２３を吸気部９１に嵌め入れたり、取付部２３と吸気孔ｈとの係合（より具体的には凸部２３ｃと吸気孔ｈとの係合）を解消し、取付部２３を吸気部９１から抜くことができる。一方、ロック部材２３ｂがロック位置Ｐ１にあるとき、すなわち、太さＴ１の方向が左右方向に揃っているとき、ロック部材２３ｂがキャップ２３ａの側面の内側に当たる。その結果、キャップ２３ａの側面の凹みが規制され、取付部２３の吸気部９１からの分離が規制される。
【００３５】
図５に示すように、ベース３０の底面（ベースプレート３１）には上方に膨らんでいる膨らみ部３１ｃが形成されている。ロック部材２３ｂは膨らみ部３１ｃを下方に貫通している。ロック部材２３ｂの下端部には、ロック部材２３ｂの半径方向に細長いつまみ２４が取り付けられている（図６参照）。ユーザはつまみ２４を回転させることにより、ロック部材２３ｂをロック位置Ｐ１と解除位置Ｐ２との間で移動できる。ロック部材２３ｂには、膨らみ部３１ｃと最上位のプレート３２ａとに挟まれるフランジ２３ｄを有している。キャップ２３ａは、その下端に、カバー２０の外装部材２０Ａと最上位のプレート３２ａとに挟まれるフランジ２３ｅを有している。
【００３６】
以上説明したように、スタンド１は、電子機器９０の外面に対向する取付面２０ｈと、取付面２０ｈに形成され、電子機器の吸気部９１に対向する第１通気口Ｅ１と、取付面２０ｈとは異なる位置に形成されている第２通気口Ｅ２と、スタンド１の内部に形成され、第１通気口Ｅ１と第２通気口Ｅ２とを繋ぐ空気流路Ｓとを備えている。これによれば、スタンド１を取り付けることによる通気効率の低下を抑えることができる。
【００３７】
なお、本発明は以上説明した実施形態に限られず、種々の変更が可能である。
【００３８】
たとえば、スタンド１は冷却ファンを備えていない電子機器に利用されてもよい。
【００３９】
また、スタンド１は錘となるブロック３２を備えていなくてもよい。
【００４０】
また、スタンド１は、吸気部９１が溝状でない電子機器に適用されてもよい。この場合、取付部２３は必ずしも取付面２０ｈに設けられていなくてもよい。
【００４１】
スタンド１には取付部２３は設けられていなくてもよい。この場合、例えば、スタンド１は電子機器９０の前面９０ｂや背面を保持するように形成されてもよい。
【００４２】
電子機器９０の側面９０ａには、通気部として、吸気部９１に替えて排気部が形成されてもよい。この場合、排気部には冷却ファンの駆動により空気を排出する排気孔が形成される。
【００４３】
電子機器の外面（例えば、側面）には、直交する２方向に間隔を空けて配置される複数の通気孔からなる通気部が設けられてもよい。この場合、スタンド１には通気孔に嵌まり当該通気孔に引っ掛かる取付部が設けられてもよい。
【符号の説明】
【００４４】
１  スタンド、２０  カバー、２０ｃ  リブ、２０ｈ  取付面、２０ｊ  側面、２０ｎ  下縁、２３  取付部、２３ａ  キャップ、２３ｂ  ロック部材、３０  ベース、３１  ベースプレート、３２  ブロック、３２ａ  プレート、９０  電子機器、９０ａ  側面、９１  吸気部（通気部）、Ｅ１  第１通気口、Ｅ２  第２通気口、Ｓ  空気流路、ｈ  吸気孔。
【図１】
2014239165.tif 000003
【図２】
2014239165.tif 000004
【図３】
2014239165.tif 000005
【図４】
2014239165.tif 000006
【図５】
2014239165.tif 000007
【図６】
2014239165.tif 000008